(57)【要約】【課題】盗難されにくく、しかも、安価で、在庫管理等の管理面が簡単化するうえ、陳列台への固定に手間がかからない保持具を提供する。【解決手段】陳列台の上面に形成された凹部に着脱自在に固定され化粧料容器が保持される保持具であって、化粧料容器を保持する本体部１と、この本体部１から下方に突設され上記凹部に着脱自在に嵌合される筒状支受部２とを備えている。そして、この筒状支受部２に、その周方向に沿って所定の間隔をあけた状態で相対峙する一対の切欠き部１９が、上記筒状支受部２の下端面から上方に向かって切欠き形成され、これら両切欠き部１９で挟まれる上記筒状支受部２の部分で弾性片が形成され、この弾性片および上記凹部の一方に係合凸部１８ａが形成され、他方に、上記嵌合により上記弾性片を弾性変形させて上記係合凸部１８ａと着脱自在に係合する被係合部が形成されている。【選択図】図１
2009045156.tif 000002
【特許請求の範囲】
【請求項１】
陳列台の上面に形成された凹部に着脱自在に固定され化粧料容器が保持される保持具であって、化粧料容器を保持する本体部と、この本体部から下方に突設され上記凹部に着脱自在に嵌合される筒状支受部とを備え、この筒状支受部に、その周方向に沿って所定の間隔をあけた状態で相対峙する一対の切欠き部が、上記筒状支受部の下端面から上方に向かって切欠き形成され、これら両切欠き部で挟まれる上記筒状支受部の部分で弾性片が形成され、この弾性片および上記凹部の一方に係合部が形成され、他方に、上記嵌合により上記弾性片を弾性変形させて上記係合部と着脱自在に係合する被係合部が形成されていることを特徴とする保持具。
【請求項２】
上記凹部の内面に係合凹部が形成され、上記弾性片の外面に、その弾性片の弾性を利用して上記係合凹部と着脱自在に係合する被係合凸部が形成されている請求項１記載の保持具。
【請求項３】
上記本体部が、上面に、ペンシルタイプの化粧料容器を寝かせた状態で載置しうる樋状体と、この樋状体を傾斜させた状態でその下端部を支受する筒状支受部とからなり、上記筒状支受部が四角形筒状体で構成され、この四角形筒状体が、上記樋状体の長手方向に沿って設けられた相対向する２つの側壁と、上記長手方向に対し直交する方向に沿って設けられた相対向する２つの側壁とからなり、上記長手方向に沿って設けられた両側壁の下部の両側縁に、その下端面から上方に向かって切欠き部を形成することにより、上記各側壁の下部がそれぞれ弾性片に形成され、上記長手方向に対し直交する方向に沿って設けられた両側壁の外面にそれぞれ被係合凸部が形成されている請求項２記載の保持具。
【発明の詳細な説明】
【技術分野】
【０００１】
本発明は、各種の化粧料を陳列する陳列台に用いられる化粧料容器保持用の保持具に関するものである。
【背景技術】
【０００２】
従来から、ファンデーション，口紅，リップカラー等の各種化粧料を店頭等に陳列するための陳列台として、例えば、図１２に示すように、陳列面の構成が異なる３個の物品陳列台３１〜３３を左右方向に並べるとともに、その左右両側に補助陳列台３４，３５を並べるようにした物品陳列具が提案されている（例えば、特許文献１）。この物品陳列具では、上記各物品陳列台３１〜３３は、図１３（この図１３では、物品陳列台３１しか図示せず）に示すように、上下２段の陳列部を有するベースユニット３６と、このベースユニット３６に載置され上下２段の陳列部を有する２つの枠ユニット３７と、これら両枠ユニット３７に載置され上記陳列面を構成する複数の陳列トレイ３８と、上側に配設される枠ユニット３７の背部に着脱自在に固定される鏡３９とを備えており、上記各陳列トレイ３８に、パウダー化粧料テスター４０，リップカラーテスター４１，リップライナーテスター４２，液体ファンデーションテスター４３等の各種の化粧料容器が陳列されている。また、上記ベースユニット３６の上段の陳列部には、これに穿設された穴３６ａと、枠ユニット３７の底壁に穿設された穴（図示せず）とを利用し、枠ユニット３７がねじ（図示せず）止めされている。
【特許文献１】特開２００５−５２３７４号公報
【発明の開示】
【発明が解決しようとする課題】
【０００３】
しかしながら、上記の各物品陳列台３１〜３３では、２つの枠ユニット３７の両陳列部に各陳列トレイ３８を載置しているだけであるため、各陳列トレイ３８を上記両陳列部から簡単に持ち上げることができ、各陳列トレイ３８が盗難されやすい。なお、両面テープ等を用い、上記両枠ユニット３７の両陳列部に各陳列トレイ３８を接着することが考えられるが、この場合には、両面テープ等を用いる分コストアップになるうえ、部品点数が増えて在庫管理等の管理面が複雑化し、しかも、両陳列部もしくは各陳列トレイ３８に両面テープ等を接着する作業に手間がかかる。
【０００４】
本発明は、このような事情に鑑みなされたもので、盗難されにくく、しかも、安価で、在庫管理等の管理面が簡単化するうえ、陳列台への固定に手間がかからない保持具の提供をその目的とする。
【課題を解決するための手段】
【０００５】
上記の目的を達成するため、本発明の保持具は、陳列台の上面に形成された凹部に着脱自在に固定され化粧料容器が保持される保持具であって、化粧料容器を保持する本体部と、この本体部から下方に突設され上記凹部に着脱自在に嵌合される筒状支受部とを備え、この筒状支受部に、その周方向に沿って所定の間隔をあけた状態で相対峙する一対の切欠き部が、上記筒状支受部の下端面から上方に向かって切欠き形成され、これら両切欠き部で挟まれる上記筒状支受部の部分で弾性片が形成され、この弾性片および上記凹部の一方に係合部が形成され、他方に、上記嵌合により上記弾性片を弾性変形させて上記係合部と着脱自在に係合する被係合部が形成されているという構成をとる。
【発明の効果】
【０００６】
すなわち、本発明の保持具では、その筒状支受部を、陳列台の上面に形成された凹部に着脱自在に嵌合させているため、上記筒状支受部が上記凹部から取り外しにくく、盗難されにくい。しかも、本発明の保持具を上記凹部に固定する場合には、その筒状支受部を上記凹部に嵌合させるだけでよく、従来例のように、両面テープ等を用いる必要がなく、その分安価であるうえ、部品点数が減少して在庫管理等の管理面が簡単化し、しかも、従来例のような接着作業を必要とせず、その分上記固定作業に手間がかからない。さらに、上記筒状支受部が筒状体であることを利用して上記筒状支受部に弾性片を形成し、その弾性変形により上記弾性片と上記凹部とが着脱自在に係合する構造としたものであり、この構造が簡単で小形になる。
【０００７】
また、本発明において、上記凹部の内面に係合凹部が形成され、上記弾性片の外面に、その弾性片の弾性を利用して上記係合凹部と着脱自在に係合する被係合凸部が形成されている場合には、係合部として凹部を形成し、被係合部として凸部を形成しただけの、簡単な構造となる。
【０００８】
また、本発明において、上記本体部が、上面に、ペンシルタイプの化粧料容器を寝かせた状態で載置しうる樋状体と、この樋状体を傾斜させた状態でその下端部を支受する筒状支受部とからなり、上記筒状支受部が四角形筒状体で構成され、この四角形筒状体が、上記樋状体の長手方向に沿って設けられた相対向する２つの側壁と、上記長手方向に対し直交する方向に沿って設けられた相対向する２つの側壁とからなり、上記長手方向に沿って設けられた両側壁の下部の両側縁に、その下端面から上方に向かって切欠き部を形成することにより、上記各側壁の下部がそれぞれ弾性片に形成され、上記長手方向に対し直交する方向に沿って設けられた両側壁の外面にそれぞれ被係合凸部が形成されている場合には、上記本体部の樋状体にペンシルタイプの化粧料容器を載置した状態で、上記樋状体の下端部を支受する筒状支受部の、上記長手方向に対し直交する方向に沿って設けられた相対向する２つの側壁に対して、重力に起因する押圧が作用するものの、この押圧を、上記長手方向に対し直交する方向に沿って設けられた相対向する２つの側壁で緩衝することができ、長期間にわたって上記筒状支受部が破損等しない。
【発明を実施するための最良の形態】
【０００９】
つぎに、本発明の実施の形態を図面にもとづいて詳しく説明する。
【００１０】
図１〜図５は本発明の保持具の一実施の形態を示している。図において、１はペンシルタイプの化粧料容器３（図６参照）を保持する本体部であり、前側に向かって下る傾斜姿勢で、上記本体部１の下端部が筒状支受部２に支受されている。
【００１１】
上記本体部１は、樋状体１１と、この樋状体１１の下端開口部を閉塞する閉塞板１２と、この閉塞板１２の先端部上面から上方に垂設される邪魔板１３と、上記樋状体１１の相対向する両側壁（図１では、左右両側壁１１ａ）下端部と上記邪魔板１３の左右両側縁とにわたって形成された左右一対の両保護板１４とからなっている。
【００１２】
そして、化粧料容器３が、寝かせた状態で、上記樋状体１１の上面に形成される凹溝１５に収容，保持されるようにしている。この保持状態では、上記閉塞板１２により化粧料容器３が樋状体１１の下端部から落下しないようになっており、また、化粧料容器３の一端（通常は、化粧料容器３の先端）が上記樋状体１１の上端開口部から突出している場合に、使用者等が誤って化粧料容器３の一端を下側に押圧しても、上記邪魔板１３により化粧料容器３の他端が跳ね上がらないようになっている。
【００１３】
また、上記樋状体１１には、その底壁１１ｂの下端部分（上記筒状支受部２の前側部分）およびこれよりやや上側部分（上記筒状支受部２の後側部分）に貫通穴１６ａ，１６ｂが穿設されており、これら両貫通穴１６ａ，１６ｂにより、上記樋状体１１内に塵芥が溜まるのを防止している。
【００１４】
上記筒状支受部２は、四角形筒状体で構成されており、左右両側壁（上記樋状体１１の長手方向に沿って形成された相対向する２つの側壁）１７と、前後両側壁（上記樋状体１１の長手方向に対して直交する方向に沿って形成された相対向する２つの側壁）１８とからなっている。上記左右両側壁１７には、その下部の前後両側縁に、上記左右両側壁１７の下端面から上方に延びる切欠き部１９が形成されており、これら各切欠き部１９で挟まれた左右両側壁１７の下部および前後両側壁１８の下部がそれぞれ弾性片に形成されている。また、上記前後両側壁１８には、その外面にそれぞれ、後述する支持用筒部５の下端面に着脱自在に係合する係合凸部１８ａが突設されている。これら両係合凸部１８ａの上面は水平面に形成されており、後述する係合状態のときに、上記筒状支受部２を上方に引っ張っても上記係合が外れないようにしている。
【００１５】
このような保持具は、図６に示すように、陳列台４に、本体部１の樋状体１１上に化粧料容器３を載置，保持した状態で、筒状支受部２（図６では、図示せず）が着脱自在に固定されている。図６において、６はファンデーション等の化粧料６ａを充填した化粧皿で、７は化粧皿６の収容凹部である。
【００１６】
上記保持具を陳列台４に固定する場合には、保持具の筒状支受部２を、陳列台４に形成された四角形筒状の支持用筒部（凹部）５（図６では、図示せず。図７参照）に上方から内嵌状に挿入することを行う。これにより、上記筒状支受部２の前後両側壁１８の係合凸部１８ａが支持用筒部５の内面に当接して上記前後両側壁１８を内側に撓ませながら下降し、上記係合凸部１８ａが支持用筒部５の下端に到達すると、上記前後両側壁１８の弾性復元力により上記前後両側壁１８が外側に撓み、上記係合凸部１８ａが支持用筒部５の下端面に係合する。なお、上記支持用筒部５の内面には、その周方向に所定の間隔をあけて複数本のリブ２１（図１〜図７では、図示せず。図１１参照）が上下方向に突設されており、上記係合状態で、上記各リブ２１の内面が筒状支受部２の外面に当接し、支持用筒部５と筒状支受部２間のがたつきを防止する作用をする。
【００１７】
また、上記係合状態では、上記係合凸部１８ａの上面と支持用筒部５の下端面と（すなわち、平面同士）が強く係合し、保持具を上方に引っ張っても、上記係合は外れず、上方に引き抜くことができない。このため、保持具を陳列台４から取り外す場合には、使用者等が手指を陳列台４の下から挿入し、上記前後両側壁１８の下端部を手指で内側に撓ませて上記係合を解除し、そののち、保持具を上方に引き抜くことを行う。
【００１８】
このように、上記実施の形態では、保持具を陳列台４に固定した状態で、保持具を上方に引っ張っても、上方に引き抜くことができないため、保持具の盗難のおそれはない。しかも、上記保持具の筒状支受部２を陳列台４の支持用筒部５に嵌合させるだけでよく、従来例のように、両面テープ等を用いる必要がなく、その分安価であるうえ、部品点数が少なく在庫管理等の管理面が簡単化する。しかも、従来例のような接着作業を必要とせず、その分保持具を陳列台４に固定する作業に手間がかからない。さらに、上記筒状支受部２に弾性片を形成し、その弾性変形を利用して上記弾性片と支持用筒部５とが着脱自在に係合する構造としたものであり、この構造が簡単で小形になる。しかも、上記本体部１の樋状体１１に化粧料容器３を載置した状態では、上記筒状支受部２の前後両側壁１８に対して、化粧料容器３，樋状体１１の重さに起因する押圧が作用するものの、この押圧を、上記前後両側壁１８で緩衝することができ、長期間にわたって上記筒状支受部２が破損等しない。
【００１９】
図８は本発明の保持具の他の実施の形態を示している。この実施の形態では、上記筒状支受部２の前後両側壁１８の外面に係合凹部１８ｂが形成されている。このため、上記陳列台４の支持用筒部５の前後両側部の内面には、上記両係合凹部１８ｂに対応する部分に、上記両係合凹部１８ｂに着脱自在に係合する係合凸部５ａが形成されている。それ以外の部分は上記実施の形態と同様であり、同様の部分には同じ符号を付している。この実施の形態でも、上記実施の形態と同様の作用・効果を奏する。
【００２０】
図９は本発明の保持具のさらに他の実施の形態を示している。この実施の形態では、上記筒状支受部２の前後両側壁１８の外面に半球状の係合凸部１８ａが形成されている。一方、上記陳列台４には、四角形筒状の支持用筒部５に代えて、平面視四角形状の支持用凹部２２が形成され、この支持用凹部２２の前後両側部の内面には、上記両係合凸部１８ａに対応する部分に、上記両係合凸部１８ａに着脱自在に係合する半球状の係合凹部５ｂが形成されている。このように、上記陳列台４に支持用凹部２２が形成されている場合にも、半球状の係合凸部１８ａと半球状の係合凹部５ｂとの係合により、陳列台４への保持具の取り付け，取り外しが陳列台４の上方から行えるようになっている。それ以外の部分は、図１〜図７に示す実施の形態と同様であり、同様の部分には同じ符号を付している。この実施の形態でも、図１〜図７に示す実施の形態と同様の作用・効果を奏する。
【００２１】
図１０は本発明の保持具のさらに他の実施の形態を示している。この実施の形態では、上記筒状支受部２の上端部に、円形の皿状体で構成される本体部１が水平姿勢で形成されている。この本体部１には、リキッドファンデーション等の化粧料容器を充填した化粧料容器（図示せず）等が載置される。それ以外の部分は、図１〜図７に示す実施の形態と同様であり、同様の部分には同じ符号を付している。この実施の形態でも、図１〜図７に示す実施の形態と同様の作用・効果を奏する。
【００２２】
図１１は上記陳列台４に設けた支持用筒部５の変形例を示している。この例では、上記支持用筒部５の前側辺の両側端部（すなわち、前側の両角部）に、その上端面から垂下する凸条２３を突設するとともに、これら両凸条２３に対応する上記筒状支受部２の前側壁１８の両側端部（すなわち、前側の両角部）に、上記両凸条２３に係合する切欠き部（図示せず）を形成し、上記筒状支受部２を所定の方向に向けた場合にだけこの筒状支受部２を陳列台４の支持用筒部５に挿入できる構造（すなわち、逆入れを防止する構造）としている。それ以外の部分は、図１〜図７に示す実施の形態と同様であり、同様の部分には同じ符号を付している。この実施の形態でも、図１〜図７に示す実施の形態と同様の作用・効果を奏する。
【００２３】
なお、上記各実施の形態において、化粧料容器３は、製品であってもよいし、テスター品であってもよい。また、上記樋状体１１の断面形状は、半円弧状、Ｕ字状、Ｖ字状等、どのような形状であってもよい。
【図面の簡単な説明】
【００２４】
【図１】本発明の保持具の一実施の形態を示す斜視図である。
【図２】上記保持具の側面図である。
【図３】上記保持具の平面図である。
【図４】上記保持具の正面図である。
【図５】上記保持具の断面図である。
【図６】陳列台を示す斜視図である。
【図７】上記陳列台の要部を示す断面図である。
【図８】本発明の保持具の他の実施の形態の要部を示す断面図である。
【図９】本発明の保持具のさらに他の実施の形態の要部を示す断面図である。
【図１０】本発明の保持具のさらに他の実施の形態を示す断面図である。
【図１１】陳列台の要部の斜視図である。
【図１２】従来例を示す斜視図である。
【図１３】物品陳列台の分解斜視図である。
【符号の説明】
【００２５】
１  本体部
２  筒状支受部
１８ａ  係合凸部
１９  切欠き部
【図１】
2009045156.tif 000003
【図２】
2009045156.tif 000004
【図３】
2009045156.tif 000005
【図４】
2009045156.tif 000006
【図５】
2009045156.tif 000007
【図６】
2009045156.tif 000008
【図７】
2009045156.tif 000009
【図８】
2009045156.tif 000010
【図９】
2009045156.tif 000011
【図１０】
2009045156.tif 000012
【図１１】
2009045156.tif 000013
【図１２】
2009045156.tif 000014
【図１３】
2009045156.tif 000015